(57)【特許請求の範囲】
【請求項１】
両方の大腿部の周囲に巻き回す第１装着ベルトと、両方の下腿部の周囲に巻き回す第２装着ベルトと、装着時に第１装着ベルトと第２装着ベルトを螺旋状に連結する一対の補助ベルトを備え、前記補助ベルトが第１装着ベルトの前面側の左右から膝の内側を通って第２装着ベルトに螺旋状につながり、両大腿部に内旋のひねりを加え、両下腿部に外旋のひねりを加えることを特徴とする膝関節矯正ベルト。
【請求項２】
両方の大腿部の周囲に巻き回す第１装着ベルトと、両方の下腿部の周囲に巻き回す第２装着ベルトと、装着時に第１装着ベルトと第２装着ベルトを螺旋状に連結する一対の補助ベルトを備え、前記補助ベルトが第１装着ベルトの背面側の左右から膝の内側を通って第２装着ベルトに螺旋状につながり、両大腿部に外旋のひねりを加え、両下腿部に内旋のひねりを加えることを特徴とする膝関節矯正ベルト。
【請求項３】
両方の大腿部の周囲に巻き回す第１装着ベルトと、両方の下腿部の周囲に巻き回す第２装着ベルトと、第１装着ベルトの内側において各大腿部に巻き回す一対の大腿装着ベルトと、第２装着ベルトの内側において各下腿部の周囲に巻き回す一対の下腿装着ベルトを備え、さらに前記大腿装着ベルトと下腿装着ベルトを螺旋状に連結する補助ベルトを有し、該補助ベルトが各大腿部に内旋又は外旋のひねりを加え、かつ各下腿部にその逆のひねりを加えることを特徴とする膝関節矯正ベルト。
【請求項４】
前記第１及び第２装着ベルトは、それぞれ端部に面ファスナーを備え、該面ファスナーが他端に貼着自在であることを特徴とする請求項１〜３のいずれかに記載された膝関節矯正ベルト。
【請求項５】
両方の大腿部の周囲に巻き回す第１装着ベルトと、両方の下腿部の周囲に巻き回す第２装着ベルトからなり、両装着ベルトは上下に間隔を置き、かつ装着時の中心部位において互いに表裏逆向きに連結され、さらに両装着ベルトはいずれも伸縮作用をもつ材質で構成され、それぞれ端部に面ファスナーを備え、該面ファスナーが他端に貼着自在であり、前記第１装着ベルトを介して両大腿部に内旋又は外旋のひねりを加え、かつ前記第２装着ベルトを介して両下腿部にその逆のひねりを加えることを特徴とする膝関節矯正ベルト。
【請求項６】
両装着ベルトの連結部がそれぞれ山形状に形成された突出部であることを特徴とする請求項５に記載された膝関節矯正ベルト。
【請求項７】
第１装着ベルトと第２装着ベルトは縦の縫目で連結されていることを特徴とする請求項５又は６に記載された膝関節矯正ベルト。
【発明の詳細な説明】
【０００１】
【発明の属する技術分野】
本発明はＯ脚やＸ脚等の矯正を行う膝関節の矯正ベルトに関する。
【０００２】
【従来の技術】
Ｏ脚やＸ脚などの矯正用の器具として種々のタイプのものが開発されている。最近では、例えば特開平１０−２８６２７５号公報には、膝の周囲に巻き付けるサポータ本体とＸ字状に組み合わせた２本のストラップからなる膝関節用サポータが記載されている。このサポータは、サポータ本体を膝の周囲に巻き付け、ストラップのＸ字の交差部を膝関節の外側に位置させ、Ｘ字の端部を膝関節の内側に位置させ張力をかけて装着し、ストラップの張力により膝関節の真横を外側から内側に向けて押圧し、Ｏ脚やＸ脚を矯正するというものである。
また、例えば特開平１０−２９５７１５号公報には、左右それぞれの脚の大腿部、膝部及び下腿部外周に巻き付ける２個のサポータと、サポータを装着した両脚を揃えた状態でその周囲に巻き付けるバンドと、各サポータとバンドに取り付けた副木部材及びクッションからなるＯ脚矯正器具が記載されている。この器具は、寝た状態で両脚を揃えたままねじれないように保持できるので、Ｏ脚を矯正する効果が高いとされている。
【０００３】
【発明が解決しようとする課題】
Ｏ脚の主要な原因は、歩き方や座り方など間違った生活習慣等に起因する股関節や膝関節の変形である。この変形は膝関節を挟んで大腿部が外旋し下腿部が内旋するねじれを伴うもので、このねじれを解消しない限りＯ脚の根本的な矯正は不可能と考えられる。また、逆に大腿部が内旋し下腿部が外旋するねじれを伴うものがＸ脚であり、同じくこのねじれを解消する必要がある。
しかし、従来のＯ脚又はＸ脚の矯正器具は、いずれもストラップやベルトの張力、副木等により、膝関節が単に閉じるように付勢する又は保持するものでしかなく、膝関節のねじれを矯正する機能をもっていない。
本発明はこのような現状に鑑みてなされたもので、膝関節のねじれを矯正し得る膝関節矯正器具（膝関節矯正ベルト）を得ることを目的とする。
【０００４】
【課題を解決するための手段】
本発明に係る膝関節矯正ベルトは、両方の大腿部の周囲に巻き回す第１装着ベルトと、両方の下腿部の周囲に巻き回す第２装着ベルトと、装着時に第１装着ベルトと第２装着ベルトを螺旋状に連結する一対の補助ベルトを備える。これをより具体的にいえば、上記補助ベルトが第１装着ベルトの前面側の左右から膝の内側を通って第２装着ベルトに螺旋状につながり、両大腿部に内旋のひねりを加え、両下腿部に外旋のひねりを加えるようにしたときはＯ脚の矯正に好適であり（請求項１）、上記補助ベルトが第１装着ベルトの背面側の左右から膝の内側を通って第２装着ベルトに螺旋状につながり、両大腿部に外旋のひねりを加え、両下腿部に内旋のひねりを加えるようにしたときはＸ脚の矯正に好適である（請求項２）。ここで、前面側とは体の前方から見える範囲であり、背面側とはそれ以外の範囲を意味する。また、内旋とは膝の前面側からみたとき、内向きに回転するひねりであり、同じく外旋とは外向きに回転するひねりを意味する。
【０００６】
さらに、本発明に係る膝関節矯正ベルトは、両方の大腿部の周囲に巻き回す第１装着ベルトと、両方の下腿部の周囲に巻き回す第２装着ベルトと、第１装着ベルトの内側において各大腿部に巻き回す一対の大腿装着ベルトと、第２装着ベルトの内側において各下腿部の周囲に巻き回す一対の下腿装着ベルトを備え、さらに大腿装着ベルトと下腿装着ベルトを螺旋状に連結する補助ベルトを備え、該補助ベルトが各大腿部に内旋又は外旋のひねりを加え、かつ各下腿部にその逆のひねりを加えるようになっている（請求項３）。
なお、以上の膝関節矯正ベルトにおいて、第１及び第２装着ベルトは、例えばそれぞれ端部に面ファスナーを備え、該面ファスナーが他端に貼着自在とされていることが望ましい（請求項４）。
【０００７】
さらに、本発明に係る膝関節矯正ベルトは、両方の大腿部の周囲に巻き回す第１装着ベルトと、両方の下腿部の周囲に巻き回す第２装着ベルトからなり、両装着ベルトは上下に間隔を置き、かつ装着時の中心部位において互いに表裏逆向きに連結され、さらに両装着ベルトはいずれも伸縮作用をもつ材質で構成され、それぞれ端部に面ファスナーを備え、該面ファスナーが他端に貼着自在であり、前記第１装着ベルトを介して両大腿部に内旋又は外旋のひねりを加え、かつ前記第２装着ベルトを介して両下腿部にその逆のひねりを加えるようになっている（請求項５）。この場合、具体的な形態として、両装着ベルトの連結部がそれぞれ山形状に形成された突出部であること（請求項６）、第１装着ベルトと第２装着ベルトは縦の縫目で連結されていること（請求項７）が挙げられる。
【０００８】
【発明の実施の形態】
以下、図１〜図１７を参照して、本発明及び参考例に係る膝関節矯正ベルトについて具体的に説明する。
図１に示す膝関節矯正ベルトはＯ脚の矯正に適応させたものであり、大腿部の周囲に巻き回す第１装着ベルト１、下腿部の周囲に巻き回す第２装着ベルト２を構成するベルト片２ａ、２ｂ、これらを斜めに連結する補助ベルト３、４からなり、補助ベルト３（４）の一端はベルト片２ａ（２ｂ）のほぼ中間位置に斜めに固定され両者は一体化されている。各ベルト１、２（２ａ、２ｂ）、３、４は伸縮作用をもつ材質で構成され、それぞれの裏面の一方の端には面ファスナー５〜９が取り付けられ、各ベルト１、２の表（おもて）面に貼着自在とされている。また、各ベルトの裏面は例えばウレタン樹脂発泡体のように表面に比べて滑りにくい材質で構成され、大腿部又は下腿部の周囲に巻き回したとき密着して滑らないようになっている。
【０００９】
図２を参照して装着手順を説明すると、例えば椅子に座った状態で膝を曲げ、まず、第１装着ベルト１を両大腿部の周囲に巻き回し、張力をかけた状態で面ファスナー５により係止する（ａ）。次に、補助ベルト３、４の一端をそれぞれ面ファスナー８、９により第１装着ベルト１の前面側の左右に係止し、他端を膝の内側を通して螺旋状に降下させ、下腿部の前面側でベルト片２ａ、２ｂに張力をかけ、その状態で両ベルト片を面ファスナー６により係止する（ｂ）。続いて下腿部の背面側でベルト片２ａ及び２ｂの他端を引っ張り面ファスナー７により係止する（ｃ）。
【００１０】
この矯正ベルトでは、第１装着ベルト１の張力により両大腿部が内向きに閉じる方向に付勢され、第２装着ベルト２により両下腿部も内向きに閉じる方向に付勢される。また、これらを螺旋状に連結する補助ベルト３、４の張力により、図３及び図４に示すように、第１装着ベルト１を介して両大腿部を内旋（矢印ａで示す）させる力が加えられ、かつ第２装着ベルト２を介して両下腿部を外旋（矢印ｂ）させる力が加えられる。従って、両脚が閉じられ、かつ膝関節を挟んで大腿部と下腿部にＯ脚のねじれとは逆のひねりが加えられて、Ｏ脚の矯正が行われる。
なお、膝を曲げた状態でも大腿部及び下腿部には上記内旋又は外旋のひねりの力が加わるが、この状態から少し膝を伸ばして補助ベルト３、４の張力を高めるとより効果的である。
【００１１】
このタイプの矯正ベルトは適宜改変が可能で、例えば図５に示すように膝の内側及び外側の部分に該当する箇所に滑りにくい材質からなるパッド１１を取り付けたり、２つのベルト片２ａ、２ｂに分けていた第２装着ベルト２を１本のベルトとしたり、補助ベルト３、４を別体として第２装着ベルトに対し面ファスナー等により着脱自在とするなど、種々容易に考えられる。
【００１２】
また、図６に示す矯正ベルトもこのタイプの矯正ベルトであり、第１矯正ベルト５１、第２矯正ベルト５２、補助ベルト５３、５４が一体的に連結された構造を有する。これを装着する際は、先に述べたと同様であるが、例えば椅子に座った状態で膝を曲げ、まず、第１装着ベルト５１を補助ベルト５３、５４の取付部が前面側にくるようにして両大腿部の周囲に巻き回し、張力をかけた状態で面ファスナー５５により係止し、次に、補助ベルト５３、５４を膝の内側を通して下腿部の背面側に回し、続いて第２装着ベルト５２に張力をかけて面ファスナー５６により係止する。
この矯正ベルトでも同様に、第１装着ベルト５１の張力により両大腿部が内向きに閉じる方向に付勢され、第２装着ベルト５２により両下腿部も内向きに閉じる方向に付勢され、同時に、第１装着ベルト５１を介して両大腿部を内旋させる力が加えられ、かつ第２装着ベルト５２を介して両下腿部を外旋させる力が加えられる。また、少し膝を伸ばして補助ベルト５３、５４の張力を高めるとより効果的である。
【００１３】
図７に示す矯正ベルトは図６に示す矯正ベルトと同じものであるが、装着形態を変えてＸ脚の矯正に適応させたものである。これを装着する際は、第１装着ベルト５１を補助ベルト５３、５４の取付部が背面側にくるようにして両大腿部の周囲に巻き回し、張力をかけた状態で面ファスナー５５により係止し、次に、補助ベルト５３、５４を膝の内側を通して下腿部の前面側に回し、続いて第２装着ベルト５２に張力をかけて面ファスナー５６により係止する。
この装着形態の場合、第１装着ベルト５１を介して両大腿部を外旋させる力が加えられ、かつ第２装着ベルト５２を介して両下腿部を内旋させる力が加えられる。従って、両脚が閉じられ、かつ膝関節を挟んで大腿部と下腿部にＸ脚のねじれとは逆のひねりが加えられて、Ｘ脚の矯正が行われる。
なお、図１及び図５に示す矯正ベルトでも、補助ベルト３、４の装着の向きを図７のようにすることにより、Ｘ脚の矯正に適応させることができる。
【００１４】
図８に示す膝関節矯正ベルトはＯ脚の矯正に適応させたものであり、大腿部の周囲に巻き回す第１装着ベルト１２、下腿部の周囲に巻き回す第２装着ベルト１３、及び一端が各ベルトに取り付けられた各一対の補助ベルト１４〜１７からなる。第１、第２装着ベルト１２、１３は伸縮作用をもつ材質で構成され、その裏面の一方の端には面ファスナー１８、１９が取り付けられ、表（おもて）面に貼着自在とされている。また、第１、第２装着ベルト１２、１３の裏面は例えばウレタン樹脂発泡体のように表面に比べて滑りにくい材質で構成され、大腿部又は下腿部の周囲に巻き回したとき密着して滑らないようになっている。
【００１５】
第１装着ベルト１２の補助ベルト１４、１５は、第１装着ベルト１２を大腿部に装着したとき、取付部１４ａ、１５ａが大腿部の前面側左右に位置するように取り付けられ、一方の補助ベルト１５の端部には面ファスナー２１が取り付けられ、他方の補助ベルト１４の表面に貼着自在となっている。また、第２装着ベルト１３の補助ベルト１６、１７は、第２装着ベルト１３を下腿部に装着したとき、取付部１６ａ、１７ａが下腿部の背面側左右に位置するように取り付けられ、やや長めとされ、その端部には面ファスナー２２、２３が取り付けられ、第２装着ベルト１３の表面に貼着自在とされている。なお、補助ベルト１４〜１７も伸縮作用をもつ材質で構成されるのが望ましい。
【００１６】
装着手順は、例えば椅子に座った状態で、まず、第１装着ベルト１２を両大腿部の周囲に巻き回し、張力をかけた状態で面ファスナー１８により係止し、前面側で両補助ベルト１４、１５を互いに重ね合わせる方向に引っ張ってより強く張力をかけ、面ファスナー２１で係止する。次に第２装着ベルト１３を両下腿部の周囲に巻き回し、張力をかけた状態で面ファスナー１９により係止し、両補助ベルト１６、１７を背面側で交差させ前面側に引っ張って強く張力をかけ、面ファスナー２２、２３で第２装着ベルト１３の表面に係止する。
この矯正ベルトでは、第１装着ベルト１２の張力により両大腿部が内向きに閉じる方向に付勢され、第２装着ベルト１３により両下腿部も内向きに閉じる方向に付勢される。さらに、補助ベルト１４、１５の張力により第１装着ベルト１２を介して両大腿部を内旋（矢印ａで示す）させる力が加えられ、かつ補助ベルト１６、１７の張力により第２装着ベルト１３を介して両下腿部を外旋（矢印ｂ）させる力が加えられる。従って、両脚が閉じられ、かつ膝関節を挟んで大腿部と下腿部にＯ脚とは逆のひねりが加えられて、Ｏ脚の矯正が行われる。
なお、この補助ベルト１４〜１７なしでも、第１装着ベルト１２の装着時に前面側に背面側より大きい張力をかけ、第２装着ベルト１３の装着時に背面側に前面側より大きい張力をかけることにより、両大腿部に内旋、両下腿部に外旋の力を加えることができる。
また、図８に示す矯正ベルトでは、第１装着ベルト１２及び第２装着ベルト１３の装着の向きを１８０゜逆向きにすることにより、Ｘ脚の矯正に適応させることができる。
【００１７】
図９に示す矯正ベルトは図８の矯正ベルトと同タイプのもので、第１、第２装着ベルト２４、２５の形状がやや異なり、また、第２装着ベルトの装着の向きが図８と逆（背面側で係止している）になっている。しかし、図８の矯正ベルトと同様に、第１装着ベルト２４を介して両大腿部を内旋（矢印ａで示す）させる力が加えられ、第２装着ベルト２５を介して両下腿部を外旋（矢印ｂ）させる力が加えられる。
【００１８】
図１０に示す矯正ベルトは、両方の大腿部の周囲に巻き回す第１装着ベルト３１を構成するベルト片３１ａ、３１ｂと、両方の下腿部の周囲に巻き回す第２装着ベルト３２を構成するベルト片３２ａ、３２ｂと、第１装着ベルト３１（ベルト片３１ａ、３１ｂ）の内側に取り付けられ各大腿部に巻き回す一対の大腿装着ベルト３３、３４と、第２装着ベルト３２（ベルト片３２ａ、３２ｂ）の内側に取り付けられ各下腿部の周囲に巻き回す一対の下腿装着ベルト３５、３６と、各大腿装着ベルト３３、３４と下腿装着ベルト３５、３６を連結する補助ベルト３７、３８からなる。
ベルト片３１ａ、３１ｂ、３２ａ、３２ｂにはそれぞれ一端の裏面に面ファスナー３９〜４２が取り付けられて表（おもて）面に貼着自在とされ、ベルト片３１ａと３１ｂの両端、ベルト片３２ａと３２ｂの両端をそれぞれ連結し、第１装着ベルト３１、第２装着ベルト３２を構成するようになっている。また、大腿装着ベルト３３、３４、下腿装着ベルト３５、３６の一端の裏面にも面ファスナーが取り付けられて表（おもて）面に貼着自在とされている。これらの各ベルト３１〜３８は伸縮作用をもつ材質で構成されている。
【００１９】
この矯正ベルトの装着の手順は、まず大腿装着ベルト３３、３４と下腿装着ベルト３５、３６を、図１０に示すようにそれぞれ装着する。このとき、補助ベルト３７、３８が大腿部の内側から膝の裏側を通って下腿部に向け螺旋状に配置され、長さ方向に引っ張られて張力がかかっている。各装着ベルト３３〜３６の裏面は表面に比べて滑りにくい材質で構成され、各大腿部又は下腿部の周囲に巻き回したとき密着して滑らないようになっている。また、ベルト片３１ａ、３１ｂ、３２ａ、３２ｂは大腿部及び下腿部の側面に位置している。
次に、図１１に示すように、第１装着ベルト３１及び第２装着ベルト３２をそれぞれ、面ファスナー３９〜４２で係止する。
【００２０】
図１１に大腿部及び下腿部にかかるひねりの力の方向を示す。この矯正ベルトでは、第１装着ベルト３１の張力により両大腿部が内向きに閉じる方向に付勢され、第２装着ベルト３２により両下腿部も内向きに閉じる方向に付勢される。また、大腿装着ベルト３３（３４）と下腿装着ベルト３５（３６）を連結する補助ベルト３７、３８の張力により、大腿装着ベルト３３、３４を介して両大腿部を内旋（矢印ａで示す）させる力が加えられ、かつ下腿装着ベルト３５、３６を介して両下腿部を外旋（矢印ｂ）させる力が加えられる。従って、両脚が閉じられ、かつ膝関節を挟んで大腿部と下腿部にＯ脚のねじれとは逆のひねりが加えられて、Ｏ脚の矯正が行われる。
【００２１】
なお、この矯正ベルトでは、第１装着ベルト３１の装着時に前面側に背面側より大きい張力をかけ、第２装着ベルト３２の装着時に背面側に前面側より大きい張力をかけることにより、両大腿部に内旋、両下腿部に外旋の力を加えることができるので、補助ベルト３７、３８を省略することも可能である。
また、補助ベルト３７、３８の装着の向きを変え、両大腿部に外旋、両下腿部に内旋の力を加えて、Ｘ脚の矯正に適応させることができる。
【００２２】
図１２に示す膝関節矯正ベルトは、大腿部の周囲に巻き回す第１装着ベルト６１、下腿部の周囲に巻き回す第２装着ベルト６２からなり、第１装着ベルト６１の中央部には下向きに山形状の突出部（連結部）６３、第２装着ベルト６２の中央部には上向きに山形状の突出部（連結部）６４が形成され、この突出部６３、６４において第１、第２装着ベルト６１、６２が互いに表裏逆向きに縦の縫目６５で連結されている。
各ベルト６１、６２は伸縮作用をもつ材質で構成され、それぞれの裏面の一方の端には面ファスナー６６、６７が取り付けられ、各装着ベルト６１、６２の表（おもて）面に貼着自在とされている。また、各ベルトの裏面は例えばウレタン樹脂発泡体のように表面に比べて滑りにくい材質で構成され、大腿部又は下腿部の周囲に巻き回したとき密着して滑りにくくなっている。
【００２３】
図１３は、この膝関節矯正ベルトを膝関節に装着した状態を示す。この装着形態はＯ脚の矯正に適応させたものであり、第１装着ベルト６１を、突出部（連結部）６３が両大腿部の中心にくるようにして、大腿部の前面側から背面側に張力をかけて巻き回し、背面側で面ファスナー６６を第１装着ベルト６１の表（おもて）面に貼着して装着し、第２装着ベルト６２を下腿部の背面側から前面側に張力をかけて巻き回し、前面側で面ファスナー７を第２装着ベルト６１の表（おもて）面に貼着して装着する。両装着ベルト６１、６２は突出部（連結部）６３、６４において連結されているため、特に縦の縫目６５で連結されていることもあって、図１３の装着図及び図１４の連結概念図に示すように、突出部（連結部）６３、６４は両大腿部乃至両下腿部にかけてその曲面に沿ったかたちで、該両大腿部及び両下腿部の間に位置するようになる。
【００２４】
この矯正ベルトでは、第１装着ベルト６１の張力により両大腿部が内向きに閉じる方向に付勢され、第２装着ベルト６２により両下腿部も内向きに閉じる方向に付勢される。また、第１、第２装着ベルト６１、６２が突出部（連結部）６３、６４を挟んで互いに引っ張り合うため、その張力により、図１３及び図１４に示すように、第１装着ベルト１を介して両大腿部を内旋（矢印ａで示す）させる力が加えられ、かつ第２装着ベルト６２を介して両下腿部を外旋（矢印ｂ）させる力が加えられる。従って、両脚が閉じられ、かつ膝関節を挟んで大腿部と下腿部にＯ脚のねじれとは逆のひねりが加えられて、Ｏ脚の矯正が行われる。
なお、膝を曲げた状態でも大腿部及び下腿部には上記内旋又は外旋のひねりの力が加わるが、この状態から少し膝を伸ばして突出部（連結部）６３、６４の張力を高めるとより効果的である。
【００２５】
図１５に示す膝関節矯正ベルトは、図１２のものと同じである。これを図１６に示すように、第１装着ベルト６１を、突出部（連結部）６３が両大腿部の中心にくるようにして、大腿部の背面側から前面側に張力をかけて巻き回し、前面側で面ファスナー６６を第１装着ベルト１の表（おもて）面に貼着して装着し、第２装着ベルト６２を下腿部の前面側から背面側に張力をかけて巻き回し、背面側で面ファスナー６７を第２装着ベルト６１の裏面に貼着して装着すると、Ｘ脚の矯正に適応させたものとなる。
【００２６】
この装着形態では、同じく第１装着ベルト６１の張力により両大腿部が内向きに閉じる方向に付勢され、第２装着ベルト６２により両下腿部も内向きに閉じる方向に付勢される。また、第１、第２装着ベルト６１、６２が突出部（連結部）６３、６４を挟んで互いに引っ張り合うため、その張力により、図１６の装着図及び図１７の連結概念図に示すように、第１装着ベルト６１を介して両大腿部を外旋（矢印ｃ）させる力が加えられ、かつ第２装着ベルト６２を介して両下腿部を内旋（矢印ｄ）させる力が加えられる。従って、両脚が閉じられ、かつ膝関節を挟んで大腿部と下腿部にＸ脚のねじれとは逆のひねりが加えられて、Ｘ脚の矯正が行われる。
【００２７】
【発明の効果】
本発明に係る膝関節矯正ベルトによれば、膝関節のねじれを矯正してＯ脚やＸ脚を矯正することができる。
【図面の簡単な説明】
【図１】  本発明に係る矯正ベルトの１例を示す図（裏面）である。
【図２】  その装着手順ａ〜ｃを説明する図である。
【図３】  その装着後の状態を示す図である。
【図４】  その装着後の状態を示す図（背面側）である。
【図５】  本発明に係る他の矯正ベルトを示す図である。
【図６】  本発明に係るさらに他の矯正ベルトを示す図である。
【図７】  その矯正ベルトの他の装着形態を示す図である。
【図８】  参考例に係る矯正ベルト（ａ）、及び装着時の前面側（ｂ）及び背面側（ｃ）の図である。
【図９】  参考例に係るさらに他の矯正ベルト（ａ）、及び装着時の前面側（ｂ）及び背面側（ｃ）の図である。
【図１０】  本発明に係るさらに他の矯正ベルトの装着途中の図である。
【図１１】  その装着後の図である。
【図１２】  本発明に係るさらに他の矯正ベルトを示す図である。
【図１３】  その装着形態の一例を示す図である。
【図１４】  その場合の第１、第２装着ベルトの連結状態と発生するひねりの状態を示す概念図である。
【図１５】  同じ膝関節矯正ベルトを向きを変えて示す図である。
【図１６】  装着形態の他の例を示す図である。
【図１７】  その場合の第１、第２装着ベルトの連結状態と発生するひねりの状態を示す概念図である。
【図１】
0004407850.tif 000002
【図２】
0004407850.tif 000003
【図３】
0004407850.tif 000004
【図４】
0004407850.tif 000005
【図５】
0004407850.tif 000006
【図６】
0004407850.tif 000007
【図７】
0004407850.tif 000008
【図８】
0004407850.tif 000009
【図９】
0004407850.tif 000010
【図１０】
0004407850.tif 000011
【図１１】
0004407850.tif 000012
【図１２】
0004407850.tif 000013
【図１３】
0004407850.tif 000014
【図１４】
0004407850.tif 000015
【図１５】
0004407850.tif 000016
【図１６】
0004407850.tif 000017
【図１７】
0004407850.tif 000018